(57)【要約】  電力制御システム（１０）は、蓄電池（１２０）、電力測定手段（１４０）、算出手段（１５０）および電池制御手段（１６０）を備える。蓄電池（１２０）は、受電設備（１１０）を介して電力網（２０）と接続されている電力線（１３０）に、接続されている。電力測定手段（１４０）は、電力網（２０）から電力線（１３０）に供給される電力を測定する。算出手段（１５０）は、電力測定手段（１４０）の測定結果に基づいて、予め定められた時刻から予め定められた時間後までの対象時間帯における平均電力の予測値又は当該対象時間帯の消費電力量の予測値を、対象時間帯において基準時間毎に算出する。電池制御手段（１６０）は、予測値および予め定められた基準値に基づいて、蓄電池（１２０）の放充電を制御する。
2017163934.tif 000002
【特許請求の範囲】
【請求項１】
受電設備を介して電力網と接続されている電力線に、接続されている蓄電池と、
前記電力網から前記電力線に供給される電力を測定する電力測定手段と、
前記電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値および予め定められた基準値に基づいて、前記蓄電池の充放電を制御する電池制御手段とを備える電力制御システム。
【請求項２】
請求項１に記載の電力制御システムにおいて、
前記電池制御手段は、前記予測値が前記基準値を超えると、前記蓄電池を放電させる電力制御システム。
【請求項３】
請求項１または２に記載の電力制御システムにおいて、
前記電池制御手段は、前記予測値が前記基準値以下のときに前記蓄電池を充電させる電力制御システム。
【請求項４】
請求項１から３のいずれか一項に記載の電力制御システムにおいて、
前記電池制御手段は、平均電力の前記予測値又は消費電力量の前記予測値が基準より低くなると予想されるタイミングで前記蓄電池を充電させる電力制御システム。
【請求項５】
請求項１から４のいずれか一項に記載の電力制御システムにおいて、
前記電池制御手段は、電力単価が基準より低いタイミングで前記蓄電池を充電させる電力制御システム。
【請求項６】
請求項１から５のいずれか一項に記載の電力制御システムにおいて、
前記算出手段は、前記電力測定手段の測定結果に基づいて予測した前記対象時間帯の消費電力量を、前記対象時間帯の長さで割った値を、前記対象時間帯における平均電力の前記予測値として算出する電力制御システム。
【請求項７】
請求項１から６のいずれか一項に記載の電力制御システムにおいて、
前記電力測定手段の測定結果の履歴、日時、季節、天気、および気温の少なくとも一つを示す情報に基づいて、前記電池制御手段を動作状態と非動作状態とに切り替える動作制御手段をさらに備える電力制御システム。
【請求項８】
請求項７に記載の電力制御システムにおいて、
前記動作制御手段は、前記電力測定手段の測定結果の履歴、日時、季節、天気、および気温の少なくとも一つを示す情報に基づいて予測される予測消費電力または予測消費電力量の大きさに基づいて、前記電池制御手段を動作状態と非動作状態とに切り替える電力制御システム。
【請求項９】
請求項８に記載の電力制御システムにおいて、
前記動作制御手段は、前記電力測定手段の測定結果の履歴、日時、季節、天気、および気温の少なくとも一つを示す情報に基づいて予測される前記予測消費電力または前記予測消費電力量が所定値を超えた場合、前記電池制御手段を動作状態に切り替える電力制御システム。
【請求項１０】
請求項７から９のいずれか一項に記載の電力制御システムにおいて、
前記動作制御手段は、前記電力測定手段の測定結果の履歴、日時、季節、天候、および気温の少なくとも一つを示す情報に基づいて、前記基準値を変更する電力制御システム。
【請求項１１】
請求項１０に記載の電力制御システムにおいて、
前記動作制御手段は、前記電力測定手段の測定結果の履歴、日時、季節、天候、および気温の少なくとも一つを示す情報に基づいて予測される予測消費電力または予測消費電力量の大きさに基づいて、前記基準値を変更する電力制御システム。
【請求項１２】
請求項１１に記載の電力制御システムにおいて、
前記動作制御手段は、前記電力測定手段の測定結果の履歴、日時、季節、天候、および気温の少なくとも一つを示す情報に基づいて予測される前記予測消費電力または前記予測消費電力量が大きいほど、前記基準値を高くする電力制御システム。
【請求項１３】
請求項１から１２のいずれか一項に記載の電力制御システムにおいて、
前記対象時間帯の平均電力の実績値又は当該対象時間帯の消費電力量の実績値が予め定められた実績基準値を超えたとき、当該実績基準値を前記基準値として設定する電力制御システム。
【請求項１４】
請求項７から１２のいずれか一項に記載の電力制御システムにおいて、
前記電力測定手段は第１の通信網に接続されており、前記動作制御手段は第２の通信網に接続されており、
前記第１の通信網と前記第２の通信網とは、ゲートウェイ装置を介して接続されている電力制御システム。
【請求項１５】
受電設備を介して電力網と接続されている電力線に、接続されている蓄電池を、制御する制御装置であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値が基準値を超えた時に、前記蓄電池を放電させる電池制御手段とを備える制御装置。
【請求項１６】
請求項１５に記載の制御装置において、
前記電池制御手段は、前記予測値が前記基準値を超えると、前記蓄電池を放電させる制御装置。
【請求項１７】
請求項１５または１６に記載の制御装置において、
前記電池制御手段は、前記予測値が前記基準値以下のときに前記蓄電池を充電させる制御装置。
【請求項１８】
請求項１５から１７のいずれか一項に記載の制御装置において、
前記電池制御手段は、平均電力の前記予測値又は消費電力量の前記予測値が基準より低くなると予想されるタイミングで前記蓄電池を充電させる制御装置。
【請求項１９】
請求項１５から１８のいずれか一項に記載の制御装置において、
前記電池制御手段は、電力単価が基準より低いタイミングで前記蓄電池を充電させる制御装置。
【請求項２０】
請求項１５から１９のいずれか一項に記載の制御装置において、
前記算出手段は、前記電力測定手段の測定結果に基づいて予測した前記対象時間帯の消費電力量を、前記対象時間帯の長さで割った値を、前記対象時間帯における平均電力の前記予測値として算出する制御装置。
【請求項２１】
請求項１５から２０のいずれか一項に記載の制御装置において、
前記電力測定手段の測定結果の履歴、日時、季節、天気、および気温の少なくとも一つを示す情報に基づいて、前記電池制御手段を動作状態と非動作状態とに切り替える動作制御手段をさらに備える制御装置。
【請求項２２】
請求項２１に記載の制御装置において、
前記動作制御手段は、前記電力測定手段の測定結果の履歴、日時、季節、天気、および気温の少なくとも一つを示す情報に基づいて予測される予測消費電力または予測消費電力量の大きさに基づいて、前記電池制御手段を動作状態と非動作状態とに切り替える制御装置。
【請求項２３】
請求項２２に記載の制御装置において、
前記動作制御手段は、前記電力測定手段の測定結果の履歴、日時、季節、天気、および気温の少なくとも一つを示す情報に基づいて予測される前記予測消費電力または前記予測消費電力量が所定値を超えた場合、前記電池制御手段を動作状態に切り替える制御装置。
【請求項２４】
請求項２１から２３のいずれか一項に記載の制御装置において、
前記動作制御手段は、前記電力測定手段の測定結果の履歴、日時、季節、天候、および気温の少なくとも一つを示す情報に基づいて、前記基準値を変更する制御装置。
【請求項２５】
請求項２４に記載の制御装置において、
前記動作制御手段は、前記電力測定手段の測定結果の履歴、日時、季節、天候、および気温の少なくとも一つを示す情報に基づいて予測される予測消費電力または予測消費電力量の大きさに基づいて、前記基準値を変更する制御装置。
【請求項２６】
請求項２５に記載の制御装置において、
前記動作制御手段は、前記電力測定手段の測定結果の履歴、日時、季節、天候、および気温の少なくとも一つを示す情報に基づいて予測される前記予測消費電力または前記予測消費電力量が大きいほど、前記基準値を高くする制御装置。
【請求項２７】
請求項１５から２６のいずれか一項に記載の制御装置において、
前記対象時間帯の平均電力の実績値又は当該対象時間帯の消費電力量の実績値が予め定められた実績基準値を超えたとき、当該実績基準値を前記基準値として設定する制御装置。
【請求項２８】
請求項２１から２６のいずれか一項に記載の制御装置において、
前記電力測定手段は第１の通信網に接続されており、前記動作制御手段は第２の通信網に接続されており、
前記第１の通信網と前記第２の通信網とは、ゲートウェイ装置を介して接続されている制御装置。
【請求項２９】
受電設備を介して電力網と接続されている電力線に、接続している蓄電池を、制御する制御方法であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出し、
前記予測値が基準値を超えた時に、前記蓄電池を放電させる制御方法。
【請求項３０】
請求項２９に記載の制御方法において、
前記予測値が前記基準値を超えると、前記蓄電池を放電させる制御方法。
【請求項３１】
請求項２９または３０に記載の制御方法において、
前記予測値が前記基準値以下のときに前記蓄電池を充電させる制御方法。
【請求項３２】
請求項２９から３１のいずれか一項に記載の制御方法において、
平均電力の前記予測値又は消費電力量の前記予測値が基準より低くなると予想されるタイミングで前記蓄電池を充電させる制御方法。
【請求項３３】
請求項２９から３２のいずれか一項に記載の制御方法において、
電力単価が基準より低いタイミングで前記蓄電池を充電させる制御方法。
【請求項３４】
請求項２９から３３のいずれか一項に記載の制御方法において、
前記電力測定手段の測定結果に基づいて予測した前記対象時間帯の消費電力量を、前記対象時間帯の長さで割った値を、前記対象時間帯における平均電力の前記予測値として算出する制御方法。
【請求項３５】
請求項２９から３４のいずれか一項に記載の制御方法において、
前記電力測定手段の測定結果の履歴、日時、季節、天気、および気温の少なくとも一つを示す情報に基づいて、前記蓄電池の制御を行う状態と行わない状態を切り替える制御方法。
【請求項３６】
請求項３５に記載の制御方法において、
前記電力測定手段の測定結果の履歴、日時、季節、天気、および気温の少なくとも一つを示す情報に基づいて予測される予測消費電力または予測消費電力量の大きさに基づいて、前記蓄電池の制御を行う状態と行わない状態を切り替える制御方法。
【請求項３７】
請求項３６に記載の制御方法において、
前記電力測定手段の測定結果の履歴、日時、季節、天気、および気温の少なくとも一つを示す情報に基づいて予測される前記予測消費電力または前記予測消費電力量が所定値を超えた場合、前記蓄電池の制御を行う状態に切り替える制御方法。
【請求項３８】
請求項３５から３７のいずれか一項に記載の制御方法において、
前記電力測定手段の測定結果の履歴、日時、季節、天候、および気温の少なくとも一つを示す情報に基づいて、前記基準値を変更する制御方法。
【請求項３９】
請求項３８に記載の制御方法において、
前記電力測定手段の測定結果の履歴、日時、季節、天候、および気温の少なくとも一つを示す情報に基づいて予測される予測消費電力または予測消費電力量の大きさに基づいて、前記基準値を変更する制御方法。
【請求項４０】
請求項３９に記載の制御方法において、
前記電力測定手段の測定結果の履歴、日時、季節、天候、および気温の少なくとも一つを示す情報に基づいて予測される前記予測消費電力または前記予測消費電力量が大きいほど、前記基準値を高くする制御方法。
【請求項４１】
請求項２９から４０のいずれか一項に記載の制御方法において、
前記対象時間帯の平均電力の実績値又は当該対象時間帯の消費電力量の実績値が予め定められた実績基準値を超えたとき、当該実績基準値を前記基準値として設定する制御方法。
【請求項４２】
受電設備を介して電力網と接続されている電力線に、接続されている蓄電池を、制御する制御装置を実現するためのコンピュータプログラムであって、
コンピュータを、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段、および、
前記予測値が基準値を超えた時に、前記蓄電池を放電させる電池制御手段として機能させるためのコンピュータプログラム。
【請求項４３】
請求項４２に記載のコンピュータプログラムにおいて、
前記電池制御手段は、前記予測値が前記基準値を超えると、前記蓄電池を放電させるコンピュータプログラム。
【請求項４４】
請求項４２または４３に記載のコンピュータプログラムにおいて、
前記電池制御手段は、前記予測値が前記基準値以下のときに前記蓄電池を充電させるコンピュータプログラム。
【請求項４５】
請求項４２から４４のいずれか一項に記載のコンピュータプログラムにおいて、
前記電池制御手段は、平均電力の前記予測値又は消費電力量の前記予測値が基準より低くなると予想されるタイミングで前記蓄電池を充電させるコンピュータプログラム。
【請求項４６】
請求項４２から４５のいずれか一項に記載のコンピュータプログラムにおいて、
前記電池制御手段は、電力単価が基準より低いタイミングで前記蓄電池を充電させるコンピュータプログラム。
【請求項４７】
請求項４２から４６のいずれか一項に記載のコンピュータプログラムにおいて、
前記算出手段は、前記電力測定手段の測定結果に基づいて予測した前記対象時間帯の消費電力量を、前記対象時間帯の長さで割った値を、前記対象時間帯における平均電力の前記予測値として算出するコンピュータプログラム。
【請求項４８】
請求項４２から４７のいずれか一項に記載のコンピュータプログラムにおいて、
コンピュータを、前記電力測定手段の測定結果の履歴、日時、季節、天気、および気温の少なくとも一つを示す情報に基づいて、前記電池制御手段を動作状態と非動作状態とに切り替える動作制御手段としてさらに機能させるコンピュータプログラム。
【請求項４９】
請求項４８に記載のコンピュータプログラムにおいて、
前記動作制御手段は、前記電力測定手段の測定結果の履歴、日時、季節、天気、および気温の少なくとも一つを示す情報に基づいて予測される予測消費電力または予測消費電力量の大きさに基づいて、前記電池制御手段を動作状態と非動作状態とに切り替えるコンピュータプログラム。
【請求項５０】
請求項４９に記載のコンピュータプログラムにおいて、
前記動作制御手段は、前記電力測定手段の測定結果の履歴、日時、季節、天気、および気温の少なくとも一つを示す情報に基づいて予測される前記予測消費電力または前記予測消費電力量が所定値を超えた場合、前記電池制御手段を動作状態に切り替えるコンピュータプログラム。
【請求項５１】
請求項４８から５０のいずれか一項に記載のコンピュータプログラムにおいて、
前記動作制御手段は、前記電力測定手段の測定結果の履歴、日時、季節、天候、および気温の少なくとも一つを示す情報に基づいて、前記基準値を変更するコンピュータプログラム。
【請求項５２】
請求項５１に記載のコンピュータプログラムにおいて、
前記動作制御手段は、前記電力測定手段の測定結果の履歴、日時、季節、天候、および気温の少なくとも一つを示す情報に基づいて予測される予測消費電力または予測消費電力量の大きさに基づいて、前記基準値を変更するコンピュータプログラム。
【請求項５３】
請求項５２に記載のコンピュータプログラムにおいて、
前記動作制御手段は、前記電力測定手段の測定結果の履歴、日時、季節、天候、および気温の少なくとも一つを示す情報に基づいて予測される前記予測消費電力または前記予測消費電力量が大きいほど、前記基準値を高くするコンピュータプログラム。
【請求項５４】
請求項４２から５３のいずれか一項に記載のコンピュータプログラムにおいて、
前記対象時間帯の平均電力の実績値又は当該対象時間帯の消費電力量の実績値が予め定められた実績基準値を超えたとき、当該実績基準値を前記基準値として設定するコンピュータプログラム。
【請求項５５】
請求項４８から５３のいずれか一項に記載のコンピュータプログラムにおいて、
前記電力測定手段は第１の通信網に接続されており、前記動作制御手段は第２の通信網に接続されており、
前記第１の通信網と前記第２の通信網とは、ゲートウェイ装置を介して接続されているコンピュータプログラム。
【発明の詳細な説明】
【技術分野】
【０００１】
本発明は電力制御システム、制御装置、制御方法およびコンピュータプログラムに関する。
【背景技術】
【０００２】
安定した電力供給のためには、需要と供給のバランスが保たれることが必要である。そのため、大口の電力需要者には特に最大需要電力（デマンド値）を抑えることが求められる。また、最大需要電力の増大を抑えるための管理指標として、所定時間内における平均消費電力が用いられている。【０００３】
たとえば特許文献１には気象予測データを用いて負荷装置の需要予測データ及び自然エネルギー発電装置の発電出力予想データを計算し、自然エネルギー発電装置の発電出力や調整用負荷の消費電力を制御することが記載されている。
【先行技術文献】
【特許文献】
【０００４】
【特許文献１】特開２０１３−１７６２３４号公報
【発明の概要】
【発明が解決しようとする課題】
【０００５】
しかし、特許文献１の技術では、デマンド値の上昇を充分に抑制できない。たとえば、特許文献１では、所定時間毎の平均電力や消費電力量を管理していないため、デマンド値が大きくなってしまう場合がある。また、負荷となる機器の中には駆動せざるを得ないものもありえ、消費電力を抑制できない場合がある。【０００６】
本発明の目的は、デマンド値の上昇を抑制する電力制御システムを提供することにある。
【課題を解決するための手段】
【０００７】
本発明によれば、
受電設備を介して電力網と接続されている電力線に、接続されている蓄電池と、
前記電力網から前記電力線に供給される電力を測定する電力測定手段と、
前記電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値および予め定められた基準値に基づいて、前記蓄電池の充放電を制御する電池制御手段とを備える電力制御システム
が提供される。【０００８】
本発明によれば、
受電設備を介して電力網と接続されている電力線に、接続されている蓄電池を、制御する制御装置であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値が基準値を超えた時に、前記蓄電池を放電させる電池制御手段とを備える制御装置
が提供される。【０００９】
本発明によれば、
受電設備を介して電力網と接続されている電力線に、接続している蓄電池を、制御する制御方法であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出し、
前記予測値が基準値を超えた時に、前記蓄電池を放電させる制御方法
が提供される。【００１０】
本発明によれば、
受電設備を介して電力網と接続されている電力線に、接続されている蓄電池を、制御する制御装置を実現するためのコンピュータプログラムであって、
コンピュータを、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段、および、
前記予測値が基準値を超えた時に、前記蓄電池を放電させる電池制御手段として機能させるためのコンピュータプログラム
が提供される。
【発明の効果】
【００１１】
本発明によれば、デマンド値の上昇を抑制する電力制御システムを提供できる。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】第１の実施形態に係る電力制御システムの概要を示す図である。
【図２】第１の実施形態に係る電力制御システムのハードウエア構成を例示する図である。
【図３】対象時間帯における消費電力量と、消費電力量の予測値の例を示す図である。
【図４】第１の実施形態に係る蓄電池の制御方法のフローを示す図である。
【図５】第２の実施形態に係る電力制御システムのハードウエア構成を例示する図である。
【図６】第３の実施形態に係る電力制御システムの概要を示す図である。
【図７】第３の実施形態に係る蓄電池の制御方法のフローを示す図である。
【図８】第３の実施形態に係る電力制御システムの、通信システムの構成を示す図である。
【図９】対象時間帯における平均電力の実績値と、平均電力の例を示す図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
なお、以下に示す説明において、電力制御システム１０および制御装置３０の算出手段１５０、電池制御手段１６０、動作制御手段１７０は、ハードウエア単位の構成ではなく、機能単位のブロックを示している。電力制御システム１０および制御装置３０の算出手段１５０、電池制御手段１６０、動作制御手段１７０は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１６】
（第１の実施形態）
図１は、本実施形態に係る電力制御システム１０の概要を示す図である。本実施形態に係る電力制御システム１０は、蓄電池１２０、電力測定手段１４０、算出手段１５０および電池制御手段１６０を備える。蓄電池１２０は、受電設備１１０を介して電力網２０と接続されている電力線１３０に、接続されている。電力測定手段１４０は、電力網２０から電力線１３０に供給される電力を測定する。算出手段１５０は、電力測定手段１４０の測定結果に基づいて、予め定められた時刻から予め定められた時間後までの対象時間帯における平均電力の予測値又は当該対象時間帯の消費電力量の予測値を、対象時間帯において基準時間毎に算出する。電池制御手段１６０は、予測値および予め定められた基準値に基づいて、蓄電池１２０の放充電を制御する。以下に詳しく説明する。
【００１７】
本実施形態に係る電力制御システム１０は、たとえば制御装置３０を用いて構成される。制御装置３０は、蓄電池１２０を制御する制御装置である。制御装置３０は、算出手段１５０、および電池制御手段１６０を備える。
【００１８】
図２は、本実施形態に係る電力制御システム１０のハードウエア構成を例示する図である。本図の例において電力制御システム１０は、負荷３０１と、蓄電池１２０と、制御装置３０とを有する。
【００１９】
電力網２０は、例えば、商用電源、電力系統又は送配電網といった、発電事業者が有している発電設備から需要家が有している受電設備に電力を供給するための設備を統合したシステムである。
【００２０】
負荷３０１及び蓄電池１２０は、分電盤３０３を介して電力網２０に接続されている。なお、負荷３０１及び蓄電池１２０は、それぞれ一つとは限らない。また、一つの分電盤３０３には複数の蓄電池１２０が接続されていても良い。負荷３０１は、電力網２０から供給された電力を消費する。例えば、負荷３０１は電気機器等であるが、これに限られない。また、分電盤３０３の下流（電力網２０と反対側）には、さらに分電盤３０３が設けられていても良い。
【００２１】
蓄電池１２０は、制御装置３０の電池制御手段１６０の制御によって、電力網２０から供給された電力を充電して、充電された電力を蓄電する。また、蓄電池１２０は、制御装置３０の電池制御手段１６０の制御によって、蓄電されていた電力を放電する。詳しくは後述する。
【００２２】
また、分電盤３０３と電力網２０との間には、計測器３０８および電力変換設備３０２が設けられている。電力変換設備３０２は、電力会社から送られてくる電力の形態を、負荷３０１に適した電力の形態に変換する設備である。電力変換設備３０２は、たとえば、電力会社から送られてくる電力の高電圧を、負荷３０１に適した電圧に変換する。本図の例において、受電設備１１０は、電力変換設備３０２からなる。
【００２３】
計測器３０８の下流（電力網２０と反対側）には、蓄電池１２０および負荷３０１が接続されている。計測器３０８は、負荷３０１及び蓄電池１２０で消費された電力における電流［Ａ］（瞬時値）および負荷３０１及び蓄電池１２０で消費された電力における電圧［Ｖ］（瞬時値）を計測するために用いられる。そして、計測器３０８は、負荷３０１及び蓄電池１２０で消費された電力（消費電力）の電力値［Ｗ］（瞬時値）及び電力量［Ｗｈ］を取得するために用いられ、電力測定手段１４０として機能する。なお、蓄電池１２０で電力が消費されるとは、蓄電池１２０で充放電がなされたことを含んでもよい。したがって、計測器３０８は、負荷３０１で消費された電力に関する値と、蓄電池１２０で充放電された場合の電力に関する値との合計値を計測するために使用される。つまり、この合計値が、電力制御システム１０において電力網２０から電力線１３０に供給された電力に関する値に対応する。なお、蓄電池１２０で充電された場合、その充電電力については「正の消費電力」となり、蓄電池１２０で放電された場合、その放電電力については「負の消費電力」となる。なお、本図の例に限定されず、計測器３０８は、電力変換設備３０２と一体に設けられていても良いし、電力網２０と電力変換設備３０２との間に設けられていても良い。
【００２４】
制御装置３０は、蓄電池１２０を管理する。制御装置３０は、バス３１１、プロセッサ３１２、メモリ３１３、ストレージ３１４、及び入出力インタフェース３１５を有する。制御装置３０は、このような構成により、プログラムを実行するコンピュータとしての機能を有する。
【００２５】
バス３１１は、プロセッサ３１２、メモリ３１３、ストレージ３１４、及び入出力インタフェース３１５が、相互にデータを送受信するためのデータ伝送路としての機能を有する。プロセッサ３１２は、ＣＰＵ（Central Processing Unit）又はＧＰＵ（Graphics Processing Unit）等の演算処理装置である。メモリ３１３は、ＲＡＭ（Random Access Memory）又はＲＯＭ（Read Only Memory）等の記憶装置である。ストレージ３１４は、ハードディスク、ＳＳＤ（Solid State Drive）、又はメモリカード等の記憶装置である。また、ストレージ３１４は、ＲＡＭ又はＲＯＭ等のメモリであってもよい。
【００２６】
ストレージ３１４は、電池制御モジュールおよび算出モジュール等のプログラムを記憶している。プロセッサ３１２は、ストレージ３１４に記憶されているこれらのモジュールをそれぞれ実行することで、電池制御手段１６０および算出手段１５０をそれぞれ実現する。また、ストレージ３１４は記憶手段１８０として機能する。
【００２７】
入出力インタフェース３１５は、制御装置３０が外部の装置との間でデータを送受信するためのインタフェース（Ｉ／Ｆ）である。具体的には、入出力インタフェース３１５は、制御装置３０が蓄電池１２０を制御するために用いられる。また、入出力インタフェース３１５は、計測器３０８から、消費電力の電流値及び電圧値を取得するために用いられる。また、入出力インタフェース３１５は、通信網４００を介して情報を送受信するためのインタフェースであってもよい。さらに、入出力インタフェース３１５は、キーボード等の入力装置から情報を取得するインタフェースであってもよいし、ストレージ等の外部装置から情報を取得するためのインタフェースであってもよい。
【００２８】
電力変換設備３０２、計測器３０８、分電盤３０３、蓄電池１２０、および負荷３０１は、電力需要者の設備である。電力需要者が、電力販売者から電力を購入する場合の契約形態の一つに、以下の様なデマンド料金制と呼ばれる制度がある。まず電気料金は、基本料金と電力量料金で構成される。基本料金は、その月の消費電力量に依存しない予め定められた料金部分である。一方、電力量料金は、その月の消費電力量に応じて定まる料金部分である。そして、デマンド料金制では、電気料金における基本料金の比率が高いため、基本料金を低く抑えることが重要である。
【００２９】
ここで、基本料金は、過去一年間の内の最大需要電力（デマンド値）を用いて定められる。特に、デマンド値としては、１ヶ月の中での最大の３０分デマンド値が用いられる。３０分デマンド値とは、３０分間の平均使用電力を示す。たとえば、３０分デマンド値が一度でも高い値となった場合、その高い値に基づいて、翌月からの１年間の基本料金が高い水準に定められる。またデマンド料金制か否かに関わらず、所定の時間における平均電力または消費電力量が一時的に基準より大きくなった場合に、電力需要者にペナルティが発生するような契約形態も存在する。このようにして電力需要者にデマンド値を抑えるよう促すことにより、電力の安定供給が図られる。また、各電力需要者が電気料金を低く抑えるためには、所定の時間における平均電力または消費電力量が大きくなることが無いよう、制御することが重要である。
【００３０】
図１に戻り、各構成要素の動作について以下に詳しく説明する。
【００３１】
上述の通り、蓄電池１２０は、受電設備１１０を介して電力網２０と接続されている電力線１３０に、接続されている。そして、電力測定手段１４０は、電力網２０から電力線１３０に供給される電力を測定する。電力は、電力線１３０を流れる電流と、電圧の積で求められる。
【００３２】
算出手段１５０は、電力測定手段１４０の測定結果に基づいて、予め定められた時刻ｔ０から予め定められた時間ｔ１後（たとえば３０分後）までの対象時間帯における平均電力の予測値又は当該対象時間帯の消費電力量の予測値を算出する。この予測値は、対象時間帯において基準時間毎に算出される。
【００３３】
以下に、算出手段１５０が対象時間帯における平均電力［Ｗ］の予測値を算出する場合と対象時間帯の消費電力量［Ｗｈ］の予測値を算出する場合のそれぞれについて、行われる処理を説明する。
【００３４】
図９は、対象時間帯における平均電力の実績値と、平均電力の例を示す図である。本図では、予め定められた時刻ｔ０から、ある現在時刻までの消費電力の実績値の推移を実線で示している。また本図では、各時刻において算出された平均電力（平均消費電力）の予測値の推移を破線で示している。
【００３５】
算出手段１５０は、電力測定手段１４０が測定した電力を示す情報を所定の時間毎に取得する。そして、時刻ｔ０からの消費電力を積算し、現在時刻までの消費電力量の実績値を算出する。そして、消費電力量の実績値を時刻ｔ０からの経過時間で割ることにより、その時刻までの消費電力の平均値を算出する。算出手段１５０は、得られた平均値をそのまま対象時間帯の平均電力（すなわち時刻ｔ０から時点ｔ０＋ｔ１までの平均電力）の予測値とみなしても良いし、さらに現在時刻での消費電力を加味して予測を算出しても良い。たとえば、現在時刻での消費電力が大きい場合、予測値を大きく算出し、消費電力が小さい場合、予測値を小さく算出することができる。
【００３６】
算出手段１５０は、上記のような予測値の算出を、基準時間毎（たとえば１０秒毎）に行う。
【００３７】
本図の例では、平均電力の予測値を算出する例について説明したが、これに限定されない。たとえば後述する方法で求めた消費電力量の予測値を時間で割ることにより平均電力の予測値を得ても良い。
【００３８】
図３は、対象時間帯における消費電力量の実績値と、消費電力量の予測値の例を示す図である。本図では、予め定められた時刻ｔ０から、ある現在時刻までの消費電力量の推移を実線で示している。破線は、実線を外挿した直線である。以下では、本図を用いて消費電力量の予測値を算出する例について説明するが、これに限定されない。
【００３９】
算出手段１５０は、電力測定手段１４０が測定した電力を示す情報を取得し、時刻ｔ０からの消費電力量の実績値を算出する。そして、時刻ｔ０からの消費電力量の実績値に基づいて、時刻ｔ０から時間ｔ１だけ経過した時点ｔ０＋ｔ１の消費電力量の予測値を算出する。算出手段１５０は、たとえば時刻ｔ０から現在時刻までの消費電力量の推移を本図の破線のように直線近似し、時刻ｔ０＋ｔ１での近似直線の示す値を予測値とすることができる。また、算出手段１５０は、時刻ｔ０から現在時刻までの消費電力量の実績値を、時刻ｔ０から現在時刻までの経過時間で割ることにより単位時間あたりの消費電力量を算出し、得られた単位時間あたりの消費電力量に時間ｔ１を乗じることで予測値を算出しても良い。また、算出手段１５０は、現在時刻での消費電力量の傾きを加味して予測を算出しても良い。たとえば、消費電力量の傾きが大きい場合、予測値を大きく算出し、消費電力量の傾きが小さい場合、予測値を小さく算出することができる。
【００４０】
なお、上記の様にして予測した消費電力量の予測値を、時刻ｔ０から時点ｔ０＋ｔ１までの時間（対象時間帯の長さ）である時間ｔ１で割ることにより消費電力に換算し、対象時間帯の平均電力の予測値としてもよい。
【００４１】
算出手段１５０は、上記のような予測値の算出を、基準時間毎（たとえば１０秒毎）に行う。
【００４２】
電力制御システム１０は、上記した平均電力の予測値と消費電力量の予測値のいずれか一方を用いて処理を行えばよい。なお、特別な言及がない限り、以下で現れる「予測値」は、対象時間帯における平均電力の予測値を意味する。ただし、平均電力の予測値の代わりに対象時間帯の消費電力量の予測値を用いても同様に処理できる。
【００４３】
電池制御手段１６０は、蓄電池１２０を制御する。具体的には、電池制御手段１６０は、算出手段１５０で基準時間毎に算出された予測値をその都度取得する。そして、電池制御手段１６０は、予測値が予め定められた基準値を超えると、蓄電池１２０を放電させる。基準値は、たとえば記憶手段１８０に予め保持されており、電池制御手段１６０がそれを読み出して用いることができる。
【００４４】
予測値が平均電力の基準値である場合、基準値は電力を示す値である。また、本実施形態において基準値は、たとえば過去一年間の内の最大需要電力（デマンド値）よりも小さい値である。そうすることにより、電力需要者は、デマンド値がさらに上昇して、基本料金がより高く設定されることを避けることができる。なお、算出手段１５０が消費電力量の予測値を算出する場合は、基準値は消費電力量を示す値である。消費電力量の基準値は、たとえばデマンド値に時間ｔ１を乗じて消費電力量に換算した値よりも小さい値である。
【００４５】
予測値が基準値以下のときの電池制御手段１６０の動作は特に問わないが、電池制御手段１６０は、予測値が基準値以下のときには、たとえば蓄電池１２０を充電させる。また、電池制御手段１６０は、たとえば電力単価が基準より低いタイミングで蓄電池１２０を充電させてもよい。電力単価が基準より低いタイミングは、たとえば、ある時刻からある時刻まで、というような時刻の範囲を示す情報として、記憶手段１８０に予め保持されており、電池制御手段１６０がそれを読み出して用いることができる。こうすることにより、単価が安い電力を有効に利用し、電力料金を低減することができる。この場合、電池制御手段１６０は、予測値が基準値以下のときに蓄電池１２０を充電させなくてもよい。
【００４６】
また、電池制御手段１６０は、予測値が基準値以下であって、かつ、電力単価が基準より低いタイミングである場合に蓄電池１２０を充電させるようにしてもよい。電池制御手段１６０は、電力単価が基準より高いタイミングでは、蓄電池１２０を充電させない。こうすることにより、単価が安い電力を有効に利用し、電力料金を低減することができる。
【００４７】
図４は、本実施形態に係る蓄電池１２０の制御方法のフローを示す図である。本制御方法では、電力網２０から電力線１３０に供給される電力を測定する電力測定手段１４０の測定結果に基づいて、対象時間帯における平均電力の予測値又は当該対象時間帯の消費電力量の予測値を算出する（ステップＳ１０）。そして、予測値が基準値を超えた時に（ステップＳ２０のＹｅｓ）、電池制御手段１６０は蓄電池１２０を放電させる（ステップＳ３０）。また、予測値は、対象時間帯において基準時間毎に算出される。以下に詳しく説明する。
【００４８】
まず、電力測定手段１４０は、電力網２０から電力線１３０に供給される電力を測定する。電力測定手段１４０は、常時測定を行っていても良いし、制御装置３０からの制御信号に基づいて測定を行うようにしてもよい。
【００４９】
算出手段１５０は、電力測定手段１４０から、所定の時間毎に測定結果を取得し、平均電力の予測値又は当該対象時間帯の消費電力量の予測値を算出する（ステップＳ１０）。算出手段１５０が予測値を算出する方法は、上記した通りである。算出手段１５０は、予め定められた基準時間毎に予測値を算出する。そして、算出された予測値は、以下の通り電池制御手段１６０で処理される。
【００５０】
電池制御手段１６０は、算出手段１５０で算出された予測値が、基準値を超えるか否かを判定する（ステップＳ２０）。電池制御手段１６０は、予測値が基準値を超えると判定した場合（ステップＳ２０のＹｅｓ）、蓄電池１２０を放電させる（ステップＳ３０）。そして、制御装置３０に対する所定の制御停止操作が行われていない場合（ステップＳ４０のＮｏ）、算出手段１５０で算出された予測値について判定が繰り返される。予測値が基準値を超える場合に蓄電池１２０を放電させることにより、消費電力量を抑制することができる。その結果、対象時間帯での消費電力量が高くなることを避けることができる。
【００５１】
一方、予測値が基準値未満であると判定された場合（ステップＳ２０のＮｏ）、蓄電池１２０に放電をさせない。そして、制御停止操作が行われていない場合（ステップＳ４０のＮｏ）、引き続き算出手段１５０で算出された予測値について判定を繰り返す。なお、上記したとおり、予測値が基準値未満であると判定された場合（ステップＳ２０のＮｏ）、電池制御手段１６０は、蓄電池１２０に充電をさせてもよい。
【００５２】
なお、予測値が基準値を超えると判定され、蓄電池１２０から放電が開始された場合、蓄電池１２０は、次に予測値が基準値未満であると判定されるまで、放電を続けて良い。
【００５３】
また、一つの対象時間帯が経過すると、続いて次の対象時間帯が開始する。すなわち、消費電力量の実績値が０Ｗｈに戻り、処理が続けられる。たとえば一つの対象時間帯の長さは３０分間であり、３０分間隔で平均電力または消費電力量の予測値がリセットされて予測値の算出と蓄電池１２０の制御が継続される。すなわち、３０分間隔で時刻ｔ０が設定され、各対象時間帯での予測値が算出される。
【００５４】
予測値の算出および判定の繰り返しは、制御装置３０に対する所定の制御停止操作が行われた場合に終了する（ステップＳ４０のＹｅｓ）。
【００５５】
次に、本実施形態の作用および効果について説明する。本実施形態に係る電力制御システム１０、制御装置３０および制御方法によれば、所定の時間における予測値を算出し、判定を行うことにより、デマンド値の上昇を抑制することができる。ひいては、電気料金の上昇を防ぐことができる。
【００５６】
（第２の実施形態）
図５は、第２の実施形態に係る電力制御システム１０のハードウエア構成を例示する図である。本実施形態に係る電力制御システム１０は、以下に説明する点を除いて、第１の実施形態に係る電力制御システム１０と同じである。
【００５７】
本実施形態において、電力変換設備３０２の下流（電力網２０と反対側）には、分電盤３０３ａを介してさらに分電盤３０３ｂおよび分電盤３０３ｃが設けられている。また、計測器３０８は、分電盤３０３ａと分電盤３０３ｂの間に設けられている。そして、受電設備１１０は、電力変換設備３０２および分電盤３０３ａを含む。蓄電池１２０および負荷３０１ａは、分電盤３０３ｂを介して分電盤３０３ａに接続されている。
【００５８】
本実施形態において、計測器３０８は、負荷３０１ａ及び蓄電池１２０で消費された電力における電流［Ａ］（瞬時値）および負荷３０１ａ及び蓄電池１２０で消費された電力における電圧［Ｖ］（瞬時値）を計測するために用いられる。そして、計測器３０８は、負荷３０１ａ及び蓄電池１２０で消費された電力（消費電力）の電力値［Ｗ］（瞬時値）及び電力量［Ｗｈ］を取得するために用いられ、電力測定手段１４０として機能する。
【００５９】
本実施形態に係る構成は、たとえば、特定の分電盤に接続された負荷について特に消費電力の変動が生じる場合に有効である。
【００６０】
次に、本実施形態の作用および効果について説明する。本実施形態においては第１の実施形態と同様の作用および効果が得られる。
【００６１】
（第３の実施形態）
図６は、第３の実施形態に係る電力制御システム１０の概要を示す図である。本実施形態に係る電力制御システム１０は、以下に説明する点を除いて第１の実施形態または第２の実施形態に係る電力制御システム１０と同じである。
【００６２】
本実施形態に係る電力制御システム１０は、動作制御手段１７０をさらに備える。動作制御手段１７０は、電力測定手段１４０の測定結果の履歴、日時、季節、天気、および気温の少なくとも一つを示す情報に基づいて、電池制御手段１６０を動作状態と非動作状態とに切り替える。以下に詳しく説明する。
【００６３】
図７は、第３の実施形態に係る蓄電池１２０の制御方法のフローを示す図である。本図を参照し、本実施形態に係る制御方法について説明する。
【００６４】
まず、動作制御手段１７０は、電池制御手段１６０を動作させるか否かを判定する（ステップＳ５０）。動作制御手段１７０の行う判定の方法については後述する。動作制御手段１７０が電池制御手段１６０を動作させないと判定した場合（ステップＳ５０のＮｏ）、電池制御手段１６０は非動作状態とされる。すなわち、算出手段１５０による予測値の算出および、電池制御手段１６０による予測値についての判定は行われない。そして、電池制御手段１６０を動作させるか否かの判定が繰り返される。
【００６５】
一方、動作制御手段１７０が、電池制御手段１６０を動作させると判定した場合（ステップＳ５０のＹｅｓ）、電池制御手段１６０は動作状態とされ、ステップＳ１０以降は第１の実施形態と同様に処理が行われる。
【００６６】
なお、電池制御手段１６０を動作させるか否かの判定結果は、予め定められた所定の時間毎に更新されるようにしても良い。すなわち、所定の時間の内は一度の判定の結果に基づき電池制御手段１６０の動作状態または非動作状態が定められても良い。たとえば、動作制御手段１７０は、対象時間帯毎に電池制御手段１６０を動作させるか否かの判定を行っても良い。
【００６７】
電池制御手段１６０を常時動作させていた場合、頻繁に蓄電池１２０の放電が行われることが起こりうる。そして、蓄電池１２０に蓄えられた電気エネルギーが放電しつくされると、それ以上電池制御手段１６０の制御により蓄電池１２０の放電をさせることができなくなる。そのような事態を回避するために、容量が大きな蓄電池を用いることが考えられるが、設備コストを増加させることとなる。そこで、動作制御手段１７０により電池制御手段１６０の動作状態と非動作状態を切り替えることにより、蓄電池１２０の不要な放電を抑制することができる。すなわち、特にデマンド値が高くなる危険がある場合にのみ電池制御手段１６０を動作させることができる。
【００６８】
動作制御手段１７０が電池制御手段１６０を動作させるか否かを判定する方法について、以下に説明する。具体的には、高い消費電力量が予測されるタイミングにおいて、動作制御手段１７０は、電池制御手段１６０を動作させると判定し、それ以外のタイミングにおいて、電池制御手段１６０を動作させないと判定する。そして、判定結果を示す情報を生成する。電池制御手段１６０は、動作制御手段１７０から、判定結果を示す情報を取得し、動作させると判定された場合のみ蓄電池１２０を制御する。
【００６９】
動作制御手段１７０は、電力測定手段１４０の測定結果の履歴、日時、季節、天気、および気温の少なくとも一つを示す情報に基づいて、電池制御手段１６０を動作させるか否かを判定する。以下の各例（判定方法１〜判定方法７）において、動作制御手段１７０が電池制御手段１６０を動作させるか否かの判定に用いる判定基準を示す情報は、たとえば動作制御手段１７０に接続された記憶手段１８２に予め保持されており、動作制御手段１７０がそれを読み出して用いることができる。また、以下の各判定方法は、単独で用いても良いし、複数を組み合わせて用いても良い。組み合わせて用いる場合、たとえば、複数の判定方法の少なくともいずれかで、電池制御手段１６０を動作させる場合に当てはまるとき、動作制御手段１７０は電池制御手段１６０を動作させると判定する。
【００７０】
（判定方法１）
動作制御手段１７０が電力測定手段１４０の測定結果の履歴を示す情報に基づいて、電池制御手段１６０を動作させるか否かを判定する場合、たとえば以下の様な方法で処理できる。電力需要者が事業者である場合、ある稼働日（営業日）の消費電力量が高ければ、その次の稼働日の消費電力量も高いと予測される。したがって、動作制御手段１７０は、電力測定手段１４０の測定結果の履歴において、前稼働日の消費電力量が予め定められた基準より大きい場合に電池制御手段１６０を動作させると判定する。電力測定手段１４０の測定結果の履歴を示す情報は、たとえば記憶手段１８２に記憶され、動作制御手段１７０がそれを読み出して用いることができる。
【００７１】
（判定方法２）
動作制御手段１７０が電力測定手段１４０の測定結果の履歴および日時を示す情報に基づいて、電池制御手段１６０を動作させるか否かを判定する場合、たとえば以下の様な方法で処理できる。動作制御手段１７０は、電力測定手段１４０の測定結果の履歴のうち、判定対象の月日および時刻に対応する月日及び時刻の測定結果を抽出する。そして、抽出された測定結果が予め定められた基準より大きい場合に、電池制御手段１６０を動作させると判定する。ここで、判定対象の月日および時刻に対応する月日及び時刻とは、たとえば、判定対象の一年前の、同じ週（たとえば一年の内の同じ週目）の同じ曜日の同じ時刻を示す。そうすることにより、時期に依存した電力需要者の過去の傾向を反映して判定ができる。
【００７２】
（判定方法３）
動作制御手段１７０が日時を示す情報に基づいて、電池制御手段１６０を動作させるか否かを判定する場合、たとえば以下の様な方法で処理できる。電力を消費する設備がオフィスビル等である場合、平日の昼間が高い消費電力量が予測されるタイミングである。したがって、動作制御手段１７０は判定対象の日時が予め定められた日時（たとえば平日の９時から１７時）に該当する場合に電池制御手段１６０を動作させると判定する。
【００７３】
（判定方法４）
動作制御手段１７０が季節を示す情報に基づいて、電池制御手段１６０を動作させるか否かを判定する場合、たとえば以下の様な方法で処理できる。電力需要者が事業者であり、特定の季節に限定して稼働する設備を有する場合、その稼働する季節が、高い消費電力量が予測されるタイミングである。たとえば、スケート場の場合は冬に高い消費電力量が予想される。したがって、動作制御手段１７０は判定する際の季節が予め定められた季節に該当する場合に電池制御手段１６０を動作させると判定する。なお、季節は月日に基づき定められる。
【００７４】
（判定方法５）
動作制御手段１７０が日時および天気を示す情報に基づいて、電池制御手段１６０を動作させるか否かを判定する場合、たとえば以下の様な方法で処理できる。電力を消費する設備がオフィスビル等である場合、夏の晴れた日には冷房の使用により高い消費電力量が予想される。したがって、動作制御手段１７０は、判定対象の日時が予め定められた日時（たとえば８月）に該当し、かつ、晴れである場合に電池制御手段１６０を動作させると判定する。動作制御手段１７０は、たとえば気象情報提供サービスのサーバにアクセスして、天気を示す情報を取得することができる。
【００７５】
（判定方法６）
動作制御手段１７０が気温を示す情報に基づいて、電池制御手段１６０を動作させるか否かを判定する場合、たとえば以下の様な方法で処理できる。電力を消費する設備がオフィスビル等である場合、気温が特に高い場合には冷房の使用により、気温が特に低い場合には暖房の使用により、高い消費電力量が予想される。したがって、動作制御手段１７０は、判定対象の日時の気温が予め定められた基準の範囲外である場合に電池制御手段１６０を動作させると判定する。動作制御手段１７０は、たとえば気象情報提供サービスで提供される情報から、気温を示す情報を取得することができる。また、動作制御手段１７０は、電力を消費する設備の場所にある温度計から、そのときの温度を取得しても良い。
【００７６】
判定対象の日時が将来の日時である場合、上記の天気や気温としては、予想される天気や予想される気温を用いることができる。動作制御手段１７０は、たとえば気象情報提供サービスのサーバにアクセスして、予想される天気や予想される気温を示す情報を取得することができる。
【００７７】
（判定方法７）
動作制御手段１７０が日時および電力需要者の特定の条件を示す情報に基づいて、電池制御手段１６０を動作させるか否かを判定することもできる、その場合、たとえば以下の様な方法で処理できる。電力需要者の特定の条件を示す情報とは、電力を消費する設備が工場等である場合、たとえば交代制の入れ替わりの時間帯を示す情報や、生産計画の生産量を示す情報や、設備の稼働率を示す情報である。交代制の入れ替わりのタイミングでは、交代する直前に一斉にクレーンを動かして特定の場所に移動させるなど特定の時間に高い消費電力量が予想される。また、生産計画に応じて設備の稼働率が異なり、多くの生産量が予定されている日に高い稼働率および高い消費電力量が予想される。したがって、動作制御手段１７０は、判定対象の時刻が入れ替わりの時間帯に該当する場合に電池制御手段１６０を動作させると判定する。また、動作制御手段１７０は、生産計画の生産量が予め定められた基準より多い場合に電池制御手段１６０を動作させると判定する。そして、動作制御手段１７０は、設備の稼働率が予め定められた基準より高い場合に電池制御手段１６０を動作させると判定する。
【００７８】
また、電力を消費する設備が商業施設等である場合、電力需要者の特定の条件を示す情報とは、セールやイベントが開催される日を示す情報である。セールやイベントの日には多くの集客が見込まれ、高い消費電力量が予想される。したがって、動作制御手段１７０は、判定対象の日がセールやイベントの日に該当する場合に、電池制御手段１６０を動作させると判定する。
【００７９】
一方、電力需要者の特定の条件を示す情報は、電力需要者である事業者の休日や長期休暇期間を示す情報であっても良い。その場合、高い消費電力量が予想されない。したがって、動作制御手段１７０は、判定対象の日が事業者の休日や長期休暇期間に該当する場合に、電池制御手段１６０を動作させないと判定する。
【００８０】
電力需要者の特定の条件を示す情報は、たとえば予めユーザに入力されて記憶手段１８２に保持されており、動作制御手段１７０がそれを読み出して用いることができる。
【００８１】
以上に判定方法の例を説明したが、上記に限定されず他の判定方法を用いても良い。
【００８２】
なお、動作制御手段１７０は、電力測定手段１４０の測定結果の履歴、日時、季節、予想される天気、および予想される気温の少なくとも一つを示す情報に基づいて予め電池制御手段１６０の動作状態と非動作状態を定めたスケジュールを示す情報を生成しても良い。その場合、電池制御手段１６０は、スケジュールを示す情報を動作制御手段１７０から取得し、そのスケジュールに基づいて、動作状態と非動作状態をとる。
【００８３】
図８は、第３の実施形態に係る電力制御システム１０の、通信システムの構成を示す図である。本図の例において、電力測定手段１４０は第１の通信網４１０に接続されており、動作制御手段１７０は第２の通信網４２０に接続されている。そして、第１の通信網４１０と第２の通信網４２０とは、ゲートウェイ装置４０を介して接続されている。第１の通信網４１０はたとえばローカルネットワークであり、第２の通信網４２０は、たとえば外部のインターネットである。
【００８４】
本図の例の様に動作制御手段１７０が第２の通信網４２０に接続され、電池制御手段１６０が第１の通信網４１０に接続されている場合、動作制御手段１７０は、第２の通信網４２０を介して電池制御手段１６０の動作状態と非動作状態を切り替える。
【００８５】
また、動作制御手段１７０は、複数の電池制御手段１６０と第２の通信網４２０を介して接続されていても良い。複数の電池制御手段１６０は、たとえば互いに異なる電力需要者の蓄電池１２０を制御する。この場合、動作制御手段１７０は、各電力需要者の事業形態や、電力が消費される設備毎に異なる判定基準を用いて、各電池制御手段１６０を動作させるか否かの判定を行っても良い。
【００８６】
なお、本図では、算出手段１５０が第１の通信網４１０に接続されている例を示しているが、算出手段１５０は、第２の通信網４２０に接続されていても良い。すなわち、算出手段１５０は第２の通信網４２０を介して電力測定手段１４０から測定結果を取得し、予測値を算出しても良い。また、本図では、電池制御手段１６０が第１の通信網４１０に接続されている例を示しているが、電池制御手段１６０は、第２の通信網４２０に接続されていても良い。すなわち、電池制御手段１６０は、第２の通信網４２０を介して蓄電池１２０を制御しても良い。また、本図では、動作制御手段１７０が第２の通信網４２０に接続されている例を示しているが、動作制御手段１７０は、第１の通信網４１０に接続されていても良い。また、動作制御手段１７０は、制御装置３０に含まれていても良い。
【００８７】
次に、本実施形態の作用および効果について説明する。本実施形態においては第１の実施形態と同様の作用および効果が得られる。加えて、動作制御手段１７０が電池制御手段１６０の動作状態と非動作状態を切り替えることにより、蓄電池１２０の放電の頻度が減少する。したがって、特に必要な場面で蓄電池１２０の電気エネルギー量が不足しているといった事態を避けられる。
【００８８】
（第４の実施形態）
第４の実施形態に係る電力制御システム１０の概要は、図６と同様に示すことができる。また、本実施形態に係る蓄電池１２０の制御方法のフローは、図７と同様に示すことができる。本実施形態に係る電力制御システム１０は、動作制御手段１７０が消費電力の大きさを予測する点を除いて第３の実施形態に係る電力制御システム１０と同じである。
【００８９】
本実施形態において、動作制御手段１７０は、電力測定手段１４０の測定結果の履歴、日時、季節、天気、および気温の少なくとも一つを示す情報に基づいて予測される消費電力（以下、単に「予測される消費電力」または「予測消費電力」と呼ぶ。）または消費電力量（以下、単に「予測される消費電力量」または「予測消費電力量」と呼ぶ。）の大きさに基づいて、電池制御手段１６０を動作状態と非動作状態とに切り替える。
【００９０】
消費電力または消費電力量を予測する方法を含め、以下に詳しく説明する。本実施形態に係る制御方法では、動作制御手段１７０が、電池制御手段１６０を動作させるか否かを判定する（ステップＳ５０）。そして、動作制御手段１７０が電池制御手段１６０を動作させないと判定した場合（ステップＳ５０のＮｏ）、電池制御手段１６０は非動作状態とされる。一方、動作制御手段１７０が、電池制御手段１６０を動作させると判定した場合（ステップＳ５０のＹｅｓ）、電池制御手段１６０は動作状態とされ、ステップＳ１０以降は第１の実施形態と同様に処理が行われる。
【００９１】
本実施形態のステップＳ５０では、動作制御手段１７０が予測消費電力または予測消費電力量を算出し、判定に用いる。ここで、予測される消費電力は、判定対象の日時の瞬時値であっても良いし、判定対象の日時を含む所定の時間帯（たとえば対象時間帯）の消費電力の平均値であってもよい。また、予測される消費電力量は、判定対象の日時を含む所定の時間帯（たとえば対象時間帯）の消費電力量である。
【００９２】
本実施形態において、動作制御手段１７０が予測消費電力または予測消費電力量を算出するために用いる電力測定手段１４０の測定結果の履歴、日時、季節、天気、および気温の少なくとも一つを示す情報は、記憶手段１８２に保持されている。また、動作制御手段１７０は、気象情報提供サービスのサーバにアクセスして、予想される天気や予想される気温を示す情報を取得してもよい。
【００９３】
また、ステップＳ５０において動作制御手段１７０はまず、判定対象の日時に対応する、基本となる消費電力の値を記憶手段１８２から読み出す。基本となる消費電力の値は電力測定手段１４０の測定結果の履歴に含まれる値であり、たとえば、前稼働日における判定対象の時刻に対応する時刻の消費電力の値である。
【００９４】
次いで、動作制御手段１７０は、判定対象の日時において高い消費電力が予想されるか否かを判定する。具体的な例としては、たとえば第３の実施形態で説明した判定方法１〜７のうちいずれかで判定を行う。
【００９５】
本実施形態において、各判定方法の各判定結果には予測される消費電力の補正値が関連づけられている。これらの判定方法を示す情報及び補正値を示す情報は、予め統計的に分析した結果に基づいて定め、記憶手段１８２に保持させておくことができる。そして、動作制御手段１７０は記憶手段１８２からこれを読み出して用いることができる。また、各判定方法において、判定結果は予測される消費電力の増加量に応じて複数の段階に分けられていても良い。なお、補正値としては、たとえば高い消費電力が予想される判定結果には正の値が関連づけられており、低い消費電力が予想される判定結果には負の値が関連づけられている。高い消費電力が予想される判定結果とは、すなわち、上記の判定方法１から判定方法７において、電池制御手段１６０を動作させるとする場合の判定結果である。
【００９６】
動作制御手段１７０は、判定対象の日時において高い消費電力が予想されるか否かの判定を行って、得られた判定結果に対応する補正値を、基本となる消費電力に加算する。そうすることにより、予測される消費電力をより正確に算出することができる。
【００９７】
なお、上記では、動作制御手段１７０が、消費電力としての補正値を基本となる消費電力に加算することにより、予測消費電力を算出する方法について説明したがこれに限定されない。動作制御手段１７０は、上記と同様に、消費電力量としての補正値を基本となる消費電力量に加算することにより、予測消費電力量を算出することができる。また、動作制御手段１７０は上記のように算出した予測される消費電力に、上記した判定対象の日時を含む所定の時間帯（たとえば対象時間帯）の長さを乗じることにより、予測される消費電力量（予測消費電力量）を算出してもよい。
【００９８】
そして動作制御手段１７０は、予測消費電力または予測消費電力量が所定値を超えた場合、電池制御手段１６０を動作状態に切り替える。所定値は、予め記憶手段１８２に保持されており、それを動作制御手段１７０が読み出して用いることができる。
【００９９】
なお、動作制御手段１７０は、電池制御手段１６０の動作状態において、電力測定手段１４０の測定結果の履歴、日時、季節、天候、および気温の少なくとも一つを示す情報に基づいて、電池制御手段１６０が予測値について判定（ステップＳ２０）を行うのに用いる基準値を変更してもよい。具体的には、電力測定手段１４０の測定結果の履歴、日時、季節、天候、および気温の少なくとも一つを示す情報に基づいて予測消費電力または予測消費電力量の大きさが予測される。そして、動作制御手段１７０は、予測された予測消費電力または予測消費電力量の大きさに基づいて、基準値を変更する。
【０１００】
たとえば、動作制御手段１７０は、電力測定手段の測定結果の履歴、日時、季節、天候、および気温の少なくとも一つを示す情報に基づいて予測される予測消費電力または予測消費電力量が大きいほど、基準値を高くする。そうすることにより、消費電力量が高い状態で放電が続き、蓄電池の電気エネルギーが枯渇してしまうことがない。具体的には、動作制御手段１７０は、上記の様に算出した予測消費電力または予測消費電力量に予め定められた係数を乗じて、基準値とすることができる。係数は、予め記憶手段１８２に保持されており、それを動作制御手段１７０が読み出して用いることができる。電池制御手段１６０は、動作制御手段１７０が生成した基準値を取得してステップＳ２０の判定に用いる。
【０１０１】
逆に、動作制御手段１７０は、電力測定手段の測定結果の履歴、日時、季節、天候、および気温の少なくとも一つを示す情報に基づいて予測される予測消費電力または予測消費電力量が小さいほど、基準値を高くしてもよい。そうすることにより、デマンド値が高まる危険性が低い状態で過剰に放電がされることがない。一方、予想外に消費電力量が高まった場合には、電池制御手段１６０の制御により放電がされ、デマンド値の上昇を抑制できる。
【０１０２】
また、予想消費電力または予測消費電力量を示す情報は、複数の消費電力または消費電力量の段階（レベル）のうちいずれに分類されるかを示す情報であってもよい。その場合、上記した補正値は、レベルをいくつ分上げるかを示す値である。そして、予測消費電力または予測消費電力量の各段階と基準値とが紐づけられており、段階に応じて基準値を切り替えるようにする。
【０１０３】
また、本実施形態において、電池制御手段１６０は、平均電力の予測値または消費電力量の予測値が基準より低くなると予想されるタイミングで蓄電池１２０を充電させてもよい。平均電力の予測値または消費電力量の予測値が基準より低くなると予想されるタイミングは、たとえば上記の様に算出した予測消費電力または予測消費電力量が基準より低くなるタイミングとして求めることができる。ここで、基準を示す情報は予め記憶手段１８２に保持させておき、それを動作制御手段１７０が読み出して用いることができる。平均電力の予測値または消費電力量の予測値が基準より低くなると予想されるタイミングは、たとえば、ある時刻からある時刻まで、というような時刻の範囲を示す情報として、動作制御手段１７０で生成され、それを電池制御手段１６０が取得して用いることができる。たとえば、動作制御手段１７０は上記のように算出した予測消費電力または予測消費電力量が基準より低くなるタイミングで蓄電池１２０を充電させればよい。
【０１０４】
次に、本実施形態の作用および効果について説明する。本実施形態においては第１の実施形態と同様の作用および効果が得られる。加えて、動作制御手段１７０が予測される消費電力の大きさに基づいて電池制御手段１６０の動作を制御することにより、蓄電池１２０の不要な放電が減少する。したがって、特に必要な場面で蓄電池１２０の電気エネルギー量が不足しているといった事態を避けられる。
【０１０５】
（第５の実施形態）
第５の実施形態に係る電力制御システム１０の概要は、図１と同様に示すことができる。本実施形態に係る電力制御システム１０は、以下に説明する点を除いて第１の実施形態に係る電力制御システム１０と同じである。
【０１０６】
本実施形態において、電池制御手段６０は、一つの対象時間帯が経過する毎に、その対象時間帯における平均電力または消費電力の実績値が予め定められた基準を満たすか否か判定し、判定結果に応じて基準値を更新する。具体的には、対象時間帯の平均電力の実績値又は当該対象時間帯の消費電力量の実績値が予め定められた実績基準値を超えたとき、電池制御手段６０は、実績基準値を基準値として設定する。そして、次の対象時間帯では、電池制御手段１６０は更新後の基準値を用いて、第１の実施形態で説明したステップＳ２０を行う。
【０１０７】
判定に用いる実績値が平均電力の実績値であるとき、実績基準値はたとえば、その対処時間帯の開始時におけるデマンド値であり、基準値よりも高い値である。また、判定に用いる実績値が消費電力量の実績値であるとき、実績基準値は、その対処時間帯の開始時におけるデマンド値に対処時間帯の長さを乗じて消費電力量に換算した値である。実績基準値は予め記憶手段１８０に保持されており、電池制御手段１６０がそれを読み出して用いることができる。
【０１０８】
第１の実施形態で説明した通り、デマンド値が更新されると、すなわち、最大需要電力を更新すると、新たなデマンド値に基づいて一年間の基本料金が定められる。したがって、対象時間帯において新たなデマンド値を超えないことが重要となる。そこで、最新のデマンド値に基づいて基準値を変更することにより、蓄電池１２０の不要な放電を抑制できる。
【０１０９】
上記したとおり、電池制御手段６０は、実績値が予め定められた実績基準値を超えたとき、実績基準値を新たな基準値として設定（更新）する。一方、実測値が実測基準値を超えていなければ、実績値が基準値を超えていたとしても、基準値の変更を行わない。基準値が更新された場合、電池制御手段１６０は実績基準値を超えたと判定された実績値を新たな実績基準値として記憶手段１８０に記憶（更新）させる。
【０１１０】
なお、基準値をデマンド値に一致させるようにしても良い。すなわち、上記において、基準値が実績基準値に一致するようにしてもよい。この場合、実績値が基準値を超えた時、その実績値が新たな基準値として設定されることとなる。
【０１１１】
また、電池制御手段６０は、実績値が予め定められた実績基準値を超えたとき、その実績値を新たな基準値として設定（更新）しても良い。
【０１１２】
また、本実施形態の方法は、第３の実施形態または第４の実施形態に係る電力制御システム１０に適用されても良い。その場合、平均電力または消費電力の実績値が予め定められた基準を満たすか否かの判定は、動作制御手段１７０によって行われてもよい。具体的には、動作制御手段１７０は、電池制御手段１６０から実績値を取得し、記憶手段１８２から実績基準値を読み出す。そして、実績値が実績基準値を超えている場合、動作制御手段１７０は実績基準値を基準値として電池制御手段１６０に出力する。そして、電池制御手段１６０は動作制御手段１７０から取得した基準値を用いて次の対象時間帯の処理を行う。
【０１１３】
次に、本実施形態の作用および効果について説明する。本実施形態においては第１の実施形態と同様の作用および効果が得られる。加えて、基準値を更新することにより、そのときのデマンド値を反映させた基準値を用いて蓄電池１２０の充放電を制御できる。
【０１１４】
なお、上述の説明で用いたシーケンス図やフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【０１１５】
以上、図面を参照して本発明の実施形態について述べたが、これらは本発明の例示であり、上記以外の様々な構成を採用することもできる。
【０１１６】
以下、参考形態の例を付記する。
１−１．  受電設備を介して電力網と接続されている電力線に、接続されている蓄電池と、
前記電力網から前記電力線に供給される電力を測定する電力測定手段と、
前記電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値および予め定められた基準値に基づいて、前記蓄電池の充放電を制御する電池制御手段とを備える電力制御システム。
１−２．  １−１．に記載の電力制御システムにおいて、
前記電池制御手段は、前記予測値が前記基準値を超えると、前記蓄電池を放電させる電力制御システム。
１−３．  １−１．または１−２．に記載の電力制御システムにおいて、
前記電池制御手段は、前記予測値が前記基準値以下のときに前記蓄電池を充電させる電力制御システム。
１−４．  １−１．から１−３．のいずれか一つに記載の電力制御システムにおいて、
前記電池制御手段は、平均電力の前記予測値又は消費電力量の前記予測値が基準より低くなると予想されるタイミングで前記蓄電池を充電させる電力制御システム。
１−５．  １−１．から１−４．のいずれか一つに記載の電力制御システムにおいて、
前記電池制御手段は、電力単価が基準より低いタイミングで前記蓄電池を充電させる電力制御システム。
１−６．  １−１．から１−５．のいずれか一つに記載の電力制御システムにおいて、
前記算出手段は、前記電力測定手段の測定結果に基づいて予測した前記対象時間帯の消費電力量を、前記対象時間帯の長さで割った値を、前記対象時間帯における平均電力の前記予測値として算出する電力制御システム。
１−７．  １−１．から１−６．のいずれか一つに記載の電力制御システムにおいて、
前記電力測定手段の測定結果の履歴、日時、季節、天気、および気温の少なくとも一つを示す情報に基づいて、前記電池制御手段を動作状態と非動作状態とに切り替える動作制御手段をさらに備える電力制御システム。
１−８．  １−７．に記載の電力制御システムにおいて、
前記動作制御手段は、前記電力測定手段の測定結果の履歴、日時、季節、天気、および気温の少なくとも一つを示す情報に基づいて予測される予測消費電力または予測消費電力量の大きさに基づいて、前記電池制御手段を動作状態と非動作状態とに切り替える電力制御システム。
１−９．  １−８．に記載の電力制御システムにおいて、
前記動作制御手段は、前記電力測定手段の測定結果の履歴、日時、季節、天気、および気温の少なくとも一つを示す情報に基づいて予測される前記予測消費電力または前記予測消費電力量が所定値を超えた場合、前記電池制御手段を動作状態に切り替える電力制御システム。
１−１０．  １−７．から１−９．のいずれか一つに記載の電力制御システムにおいて、
前記動作制御手段は、前記電力測定手段の測定結果の履歴、日時、季節、天候、および気温の少なくとも一つを示す情報に基づいて、前記基準値を変更する電力制御システム。
１−１１．  １−１０．に記載の電力制御システムにおいて、
前記動作制御手段は、前記電力測定手段の測定結果の履歴、日時、季節、天候、および気温の少なくとも一つを示す情報に基づいて予測される予測消費電力または予測消費電力量の大きさに基づいて、前記基準値を変更する電力制御システム。
１−１２．  １−１１．に記載の電力制御システムにおいて、
前記動作制御手段は、前記電力測定手段の測定結果の履歴、日時、季節、天候、および気温の少なくとも一つを示す情報に基づいて予測される前記予測消費電力または前記予測消費電力量が大きいほど、前記基準値を高くする電力制御システム。
１−１３．  １−１．から１−１２．のいずれか一つに記載の電力制御システムにおいて、
前記対象時間帯の平均電力の実績値又は当該対象時間帯の消費電力量の実績値が予め定められた実績基準値を超えたとき、当該実績基準値を前記基準値として設定する電力制御システム。
１−１４．  １−７．から１−１２．のいずれか一つに記載の電力制御システムにおいて、
前記電力測定手段は第１の通信網に接続されており、前記動作制御手段は第２の通信網に接続されており、
前記第１の通信網と前記第２の通信網とは、ゲートウェイ装置を介して接続されている電力制御システム。
２−１．  受電設備を介して電力網と接続されている電力線に、接続されている蓄電池を、制御する制御装置であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値が基準値を超えた時に、前記蓄電池を放電させる電池制御手段とを備える制御装置。
２−２．  ２−１．に記載の制御装置において、
前記電池制御手段は、前記予測値が前記基準値を超えると、前記蓄電池を放電させる制御装置。
２−３．  ２−１．または２−２．に記載の制御装置において、
前記電池制御手段は、前記予測値が前記基準値以下のときに前記蓄電池を充電させる制御装置。
２−４．  ２−１．から２−３．のいずれか一つに記載の制御装置において、
前記電池制御手段は、平均電力の前記予測値又は消費電力量の前記予測値が基準より低くなると予想されるタイミングで前記蓄電池を充電させる制御装置。
２−５．  ２−１．から２−４．のいずれか一つに記載の制御装置において、
前記電池制御手段は、電力単価が基準より低いタイミングで前記蓄電池を充電させる制御装置。
２−６．  ２−１．から２−５．のいずれか一つに記載の制御装置において、
前記算出手段は、前記電力測定手段の測定結果に基づいて予測した前記対象時間帯の消費電力量を、前記対象時間帯の長さで割った値を、前記対象時間帯における平均電力の前記予測値として算出する制御装置。
２−７．  ２−１．から２−６．のいずれか一つに記載の制御装置において、
前記電力測定手段の測定結果の履歴、日時、季節、天気、および気温の少なくとも一つを示す情報に基づいて、前記電池制御手段を動作状態と非動作状態とに切り替える動作制御手段をさらに備える制御装置。
２−８．  ２−７．に記載の制御装置において、
前記動作制御手段は、前記電力測定手段の測定結果の履歴、日時、季節、天気、および気温の少なくとも一つを示す情報に基づいて予測される予測消費電力または予測消費電力量の大きさに基づいて、前記電池制御手段を動作状態と非動作状態とに切り替える制御装置。
２−９．  ２−８．に記載の制御装置において、
前記動作制御手段は、前記電力測定手段の測定結果の履歴、日時、季節、天気、および気温の少なくとも一つを示す情報に基づいて予測される前記予測消費電力または前記予測消費電力量が所定値を超えた場合、前記電池制御手段を動作状態に切り替える制御装置。
２−１０．  ２−７．から２−９．のいずれか一つに記載の制御装置において、
前記動作制御手段は、前記電力測定手段の測定結果の履歴、日時、季節、天候、および気温の少なくとも一つを示す情報に基づいて、前記基準値を変更する制御装置。
２−１１．  ２−１０．に記載の制御装置において、
前記動作制御手段は、前記電力測定手段の測定結果の履歴、日時、季節、天候、および気温の少なくとも一つを示す情報に基づいて予測される予測消費電力または予測消費電力量の大きさに基づいて、前記基準値を変更する制御装置。
２−１２．  ２−１１．に記載の制御装置において、
前記動作制御手段は、前記電力測定手段の測定結果の履歴、日時、季節、天候、および気温の少なくとも一つを示す情報に基づいて予測される前記予測消費電力または前記予測消費電力量が大きいほど、前記基準値を高くする制御装置。
２−１３．  ２−１．から２−１２．のいずれか一つに記載の制御装置において、
前記対象時間帯の平均電力の実績値又は当該対象時間帯の消費電力量の実績値が予め定められた実績基準値を超えたとき、当該実績基準値を前記基準値として設定する制御装置。
２−１４．  ２−７．から２−１２．のいずれか一つに記載の制御装置において、
前記電力測定手段は第１の通信網に接続されており、前記動作制御手段は第２の通信網に接続されており、
前記第１の通信網と前記第２の通信網とは、ゲートウェイ装置を介して接続されている制御装置。
３−１．  受電設備を介して電力網と接続されている電力線に、接続している蓄電池を、制御する制御方法であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出し、
前記予測値が基準値を超えた時に、前記蓄電池を放電させる制御方法。
３−２．  ３−１．に記載の制御方法において、
前記予測値が前記基準値を超えると、前記蓄電池を放電させる制御方法。
３−３．  ３−１．または３−２．に記載の制御方法において、
前記予測値が前記基準値以下のときに前記蓄電池を充電させる制御方法。
３−４．  ３−１．から３−３．のいずれか一つに記載の制御方法において、
平均電力の前記予測値又は消費電力量の前記予測値が基準より低くなると予想されるタイミングで前記蓄電池を充電させる制御方法。
３−５．  ３−１．から３−４．のいずれか一つに記載の制御方法において、
電力単価が基準より低いタイミングで前記蓄電池を充電させる制御方法。
３−６．  ３−１．から３−５．のいずれか一つに記載の制御方法において、
前記電力測定手段の測定結果に基づいて予測した前記対象時間帯の消費電力量を、前記対象時間帯の長さで割った値を、前記対象時間帯における平均電力の前記予測値として算出する制御方法。
３−７．  ３−１．から３−６．のいずれか一つに記載の制御方法において、
前記電力測定手段の測定結果の履歴、日時、季節、天気、および気温の少なくとも一つを示す情報に基づいて、前記蓄電池の制御を行う状態と行わない状態を切り替える制御方法。
３−８．  ３−７．に記載の制御方法において、
前記電力測定手段の測定結果の履歴、日時、季節、天気、および気温の少なくとも一つを示す情報に基づいて予測される予測消費電力または予測消費電力量の大きさに基づいて、前記蓄電池の制御を行う状態と行わない状態を切り替える制御方法。
３−９．  ３−８．に記載の制御方法において、
前記電力測定手段の測定結果の履歴、日時、季節、天気、および気温の少なくとも一つを示す情報に基づいて予測される前記予測消費電力または前記予測消費電力量が所定値を超えた場合、前記蓄電池の制御を行う状態に切り替える制御方法。
３−１０．  ３−７．から３−９．のいずれか一つに記載の制御方法において、
前記電力測定手段の測定結果の履歴、日時、季節、天候、および気温の少なくとも一つを示す情報に基づいて、前記基準値を変更する制御方法。
３−１１．  ３−１０．に記載の制御方法において、
前記電力測定手段の測定結果の履歴、日時、季節、天候、および気温の少なくとも一つを示す情報に基づいて予測される予測消費電力または予測消費電力量の大きさに基づいて、前記基準値を変更する制御方法。
３−１２．  ３−１１．に記載の制御方法において、
前記電力測定手段の測定結果の履歴、日時、季節、天候、および気温の少なくとも一つを示す情報に基づいて予測される前記予測消費電力または前記予測消費電力量が大きいほど、前記基準値を高くする制御方法。
３−１３．  ３−１．から３−１２．のいずれか一つに記載の制御方法において、
前記対象時間帯の平均電力の実績値又は当該対象時間帯の消費電力量の実績値が予め定められた実績基準値を超えたとき、当該実績基準値を前記基準値として設定する制御方法。
４−１．  受電設備を介して電力網と接続されている電力線に、接続されている蓄電池を、制御する制御装置を実現するためのコンピュータプログラムであって、
コンピュータを、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段、および、
前記予測値が基準値を超えた時に、前記蓄電池を放電させる電池制御手段として機能させるためのコンピュータプログラム。
４−２．  ４−１．に記載のコンピュータプログラムにおいて、
前記電池制御手段は、前記予測値が前記基準値を超えると、前記蓄電池を放電させるコンピュータプログラム。
４−３．  ４−１．または４−２．に記載のコンピュータプログラムにおいて、
前記電池制御手段は、前記予測値が前記基準値以下のときに前記蓄電池を充電させるコンピュータプログラム。
４−４．  ４−１．から４−３．のいずれか一つに記載のコンピュータプログラムにおいて、
前記電池制御手段は、平均電力の前記予測値又は消費電力量の前記予測値が基準より低くなると予想されるタイミングで前記蓄電池を充電させるコンピュータプログラム。
４−５．  ４−１．から４−４．のいずれか一つに記載のコンピュータプログラムにおいて、
前記電池制御手段は、電力単価が基準より低いタイミングで前記蓄電池を充電させるコンピュータプログラム。
４−６．  ４−１．から４−５．のいずれか一つに記載のコンピュータプログラムにおいて、
前記算出手段は、前記電力測定手段の測定結果に基づいて予測した前記対象時間帯の消費電力量を、前記対象時間帯の長さで割った値を、前記対象時間帯における平均電力の前記予測値として算出するコンピュータプログラム。
４−７．  ４−１．から４−６．のいずれか一つに記載のコンピュータプログラムにおいて、
コンピュータを、前記電力測定手段の測定結果の履歴、日時、季節、天気、および気温の少なくとも一つを示す情報に基づいて、前記電池制御手段を動作状態と非動作状態とに切り替える動作制御手段としてさらに機能させるコンピュータプログラム。
４−８．  ４−７．に記載のコンピュータプログラムにおいて、
前記動作制御手段は、前記電力測定手段の測定結果の履歴、日時、季節、天気、および気温の少なくとも一つを示す情報に基づいて予測される予測消費電力または予測消費電力量の大きさに基づいて、前記電池制御手段を動作状態と非動作状態とに切り替えるコンピュータプログラム。
４−９．  ４−８．に記載のコンピュータプログラムにおいて、
前記動作制御手段は、前記電力測定手段の測定結果の履歴、日時、季節、天気、および気温の少なくとも一つを示す情報に基づいて予測される前記予測消費電力または前記予測消費電力量が所定値を超えた場合、前記電池制御手段を動作状態に切り替えるコンピュータプログラム。
４−１０．  ４−７．から４−９．のいずれか一つに記載のコンピュータプログラムにおいて、
前記動作制御手段は、前記電力測定手段の測定結果の履歴、日時、季節、天候、および気温の少なくとも一つを示す情報に基づいて、前記基準値を変更するコンピュータプログラム。
４−１１．  ４−１０．に記載のコンピュータプログラムにおいて、
前記動作制御手段は、前記電力測定手段の測定結果の履歴、日時、季節、天候、および気温の少なくとも一つを示す情報に基づいて予測される予測消費電力または予測消費電力量の大きさに基づいて、前記基準値を変更するコンピュータプログラム。
４−１２．  ４−１１．に記載のコンピュータプログラムにおいて、
前記動作制御手段は、前記電力測定手段の測定結果の履歴、日時、季節、天候、および気温の少なくとも一つを示す情報に基づいて予測される前記予測消費電力または前記予測消費電力量が大きいほど、前記基準値を高くするコンピュータプログラム。
４−１３．  ４−１．から４−１２．のいずれか一つに記載のコンピュータプログラムにおいて、
前記対象時間帯の平均電力の実績値又は当該対象時間帯の消費電力量の実績値が予め定められた実績基準値を超えたとき、当該実績基準値を前記基準値として設定するコンピュータプログラム。
４−１４．  ４−７．から４−１２．のいずれか一つに記載のコンピュータプログラムにおいて、
前記電力測定手段は第１の通信網に接続されており、前記動作制御手段は第２の通信網に接続されており、
前記第１の通信網と前記第２の通信網とは、ゲートウェイ装置を介して接続されているコンピュータプログラム。
【０１１７】
この出願は、２０１６年３月２３日に出願された日本出願特願２０１６−０５８０１３号を基礎とする優先権を主張し、その開示の全てをここに取り込む。
【図１】
2017163934.tif 000003
【図２】
2017163934.tif 000004
【図３】
2017163934.tif 000005
【図４】
2017163934.tif 000006
【図５】
2017163934.tif 000007
【図６】
2017163934.tif 000008
【図７】
2017163934.tif 000009
【図８】
2017163934.tif 000010
【図９】
2017163934.tif 000011
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
受電設備を介して電力網と接続されている電力線に、接続されている蓄電池と、
前記電力網から前記電力線に供給される電力を測定する電力測定手段と、
前記電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値および予め定められた基準値に基づいて、前記蓄電池の充放電を制御する電池制御手段とを備える電力制御システム。
【請求項２】
請求項１に記載の電力制御システムにおいて、
前記電池制御手段は、前記予測値が前記基準値を超えると、前記蓄電池を放電させる電力制御システム。
【請求項３】
請求項１または２に記載の電力制御システムにおいて、
前記電池制御手段は、前記予測値が前記基準値以下のときに前記蓄電池を充電させる電力制御システム。
【請求項４】
請求項１から３のいずれか一項に記載の電力制御システムにおいて、
前記電池制御手段は、平均電力の前記予測値又は消費電力量の前記予測値が基準より低くなると予想されるタイミングで前記蓄電池を充電させる電力制御システム。
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
受電設備を介して電力網と接続されている電力線に、接続されている蓄電池を、制御する制御装置であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段と、
前記予測値が基準値を超えた時に、前記蓄電池を放電させる電池制御手段とを備える制御装置。
【請求項１６】
請求項１５に記載の制御装置において、
前記電池制御手段は、前記予測値が前記基準値を超えると、前記蓄電池を放電させる制御装置。
【請求項１７】
請求項１５または１６に記載の制御装置において、
前記電池制御手段は、前記予測値が前記基準値以下のときに前記蓄電池を充電させる制御装置。
【請求項１８】
請求項１５から１７のいずれか一項に記載の制御装置において、
前記電池制御手段は、平均電力の前記予測値又は消費電力量の前記予測値が基準より低くなると予想されるタイミングで前記蓄電池を充電させる制御装置。
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）
【請求項２６】
（削除）
【請求項２７】
（削除）
【請求項２８】
（削除）
【請求項２９】
受電設備を介して電力網と接続されている電力線に、接続している蓄電池を、制御する制御方法であって、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出し、
前記予測値が基準値を超えた時に、前記蓄電池を放電させる制御方法。
【請求項３０】
請求項２９に記載の制御方法において、
前記予測値が前記基準値を超えると、前記蓄電池を放電させる制御方法。
【請求項３１】
請求項２９または３０に記載の制御方法において、
前記予測値が前記基準値以下のときに前記蓄電池を充電させる制御方法。
【請求項３２】
請求項２９から３１のいずれか一項に記載の制御方法において、
平均電力の前記予測値又は消費電力量の前記予測値が基準より低くなると予想されるタイミングで前記蓄電池を充電させる制御方法。
【請求項３３】
（削除）
【請求項３４】
（削除）
【請求項３５】
（削除）
【請求項３６】
（削除）
【請求項３７】
（削除）
【請求項３８】
（削除）
【請求項３９】
（削除）
【請求項４０】
（削除）
【請求項４１】
（削除）
【請求項４２】
受電設備を介して電力網と接続されている電力線に、接続されている蓄電池を、制御する制御装置を実現するためのコンピュータプログラムであって、
コンピュータを、
前記電力網から前記電力線に供給される電力を測定する電力測定手段の測定結果に基づいて、予め定められた時刻から予め定められた時間後までの対象時間帯における平均電力の予測値又は当該対象時間帯の消費電力量の予測値を、前記対象時間帯において基準時間毎に算出する算出手段、および、
前記予測値が基準値を超えた時に、前記蓄電池を放電させる電池制御手段として機能させるためのコンピュータプログラム。
【請求項４３】
請求項４２に記載のコンピュータプログラムにおいて、
前記電池制御手段は、前記予測値が前記基準値を超えると、前記蓄電池を放電させるコンピュータプログラム。
【請求項４４】
請求項４２または４３に記載のコンピュータプログラムにおいて、
前記電池制御手段は、前記予測値が前記基準値以下のときに前記蓄電池を充電させるコンピュータプログラム。
【請求項４５】
請求項４２から４４のいずれか一項に記載のコンピュータプログラムにおいて、
前記電池制御手段は、平均電力の前記予測値又は消費電力量の前記予測値が基準より低くなると予想されるタイミングで前記蓄電池を充電させるコンピュータプログラム。
【請求項４６】
（削除）
【請求項４７】
（削除）
【請求項４８】
（削除）
【請求項４９】
（削除）
【請求項５０】
（削除）
【請求項５１】
（削除）
【請求項５２】
（削除）
【請求項５３】
（削除）
【請求項５４】
（削除）
【請求項５５】
（削除）
【国際調査報告】
2017163934.tif 000012
2017163934.tif 000013
2017163934.tif 000014
2017163934.tif 000015